(57)【要約】【課題】配管の接続作業性が良く、レイアウト性も良い熱交換器を提供する。【解決手段】四角形状の伝熱プレート３１を積層し、積層方向の隣り合う２つの伝熱プレート３１の間に冷却水通路と冷媒通路をそれぞれ形成し、積層方向の端に配置された伝熱プレート３１に、冷却水通路の冷却水流入口３４及び冷却水流出口３５と、冷媒通路の冷媒流入口３６及び冷媒流出口３７を設けた熱交換器３Ａにおいて、積層方向の一方の端に配置された伝熱プレート３１に、冷媒流入口３６と冷媒流出口３７を、伝熱プレート３１の短い方の一辺長さより小さい間隔で近接配置した。【選択図】図２
2017015278.tif 000002
【特許請求の範囲】
【請求項１】
四角形状の伝熱プレート（３１）を積層し、積層方向の隣り合う２つの前記伝熱プレート（３１）の間に第１流体が流れる第１通路（３２）と第２流体が流れる第２通路（３３）をそれぞれ形成し、積層方向の端に配置された前記伝熱プレート（３１）に、前記第１通路（３２）に外部から第１流体を流入する第１流入口（３４）及び前記第１通路（３２）から外部に第１流体を流出する第１流出口（３５）と、前記第２通路（３３）に外部から第２流体を流入する第２流入口（３６）及び前記第２通路（３３）から外部に第２流体を流出する第２流出口（３７）を設けた熱交換器（３Ａ〜）において、
積層方向の一方の端に配置された前記伝熱プレート（３１）に、前記第１流入口（３４）及び前記第１流出口（３５）と前記第２流入口（３６）及び前記第２流出口（３７）との少なくとも一方の組を、前記伝熱プレート（３１）の短い方の一辺長さより小さい間隔で近接配置したことを特徴とする熱交換器（３Ａ〜３Ｅ）。
【請求項２】
請求項１記載の熱交換器（３Ａ〜３Ｅ）であって、
前記伝熱プレート（３１）の積層体内に入る第１流体の入口と前記伝熱プレート（３１）の積層体内から出る第１流体の出口の組と、前記伝熱プレート（３１）の積層体内に入る第２流体の入口と前記伝熱プレート（３１）の積層体内から出る第２流体の出口の組の少なくともいずれか一方の組は、前記伝熱プレート（３１）の対角線上の異なる角部にそれぞれ形成したことを特徴とする熱交換器（３Ａ〜３Ｅ）。
【請求項３】
請求項１又は請求項２記載の熱交換器（３Ａ，３Ｃ〜３Ｅ）であって、
積層方向の一方の端に配置された前記伝熱プレート（３１）には、前記第１流入口（３４）と前記第１流出口（３５）の組と前記第２流入口（３６）と前記第２流出口（３７）の組の双方を共に配置したことを特徴とする熱交換器（３Ａ〜３Ｅ）。
【請求項４】
請求項１〜請求項３のいずれかに記載の熱交換器（３Ａ，３Ｃ〜３Ｅ）であって、
積層方向の一方の端に配置された前記伝熱プレート（３１）に近接配置する前記第１流入口（３４）と前記第１流出口（３５）の組及び／又は前記第２流入口（３６）と前記第２流出口（３７）の組は、前記伝熱プレート（３１），（３１Ａ），（３１Ｃ）の補助通路（４２），（４３），（４４）によって相手側の近接位置まで導いていることを特徴とする熱交換器（３Ａ，３Ｃ〜３Ｅ）。
【請求項５】
請求項１〜請求項３のいずれかに記載の熱交換器（３Ｂ）であって、
積層方向の一方の端に配置された前記伝熱プレート（３１）に近接配置する前記第１流入口（３４）と前記第１流出口（３５）の組及び／又は前記第２流入口（３６）と前記第２流出口（３７）の組は、前記伝熱プレート（３１）の積層体の外側を通る配管（４０）によって相手側の近接位置まで導くことを特徴とする熱交換器（３Ｂ）。
【請求項６】
請求項１〜請求項５のいずれかに記載の熱交換器（３Ａ，３Ｂ，３Ｄ，３Ｅ）であって、
前記第１通路（３２）と前記第２通路（３３）の少なくとも一方は、複数の前記伝熱プレート（３１）より形成された積層体内を折り返す経路であり、折り返し経路とされた通路の流入口（３６）と流出口（３７）が積層方向の一方の端に配置された前記伝熱プレート（３１）に近接配置していることを特徴とする熱交換器（３Ａ，３Ｂ，３Ｄ，３Ｅ）。
【請求項７】
請求項１〜請求項６のいずれかに記載の熱交換器（３Ａ〜３Ｅ）であって、
積層方向の一方の端に配置された前記伝熱プレート（３１）には、近接配置した流入口（３６）と流出口（３７）に少なくとも接続される通路群とその通路調整手段（通路切換手段、通路抵抗手段）を有する出入口ブロック（２０）を固定したことを特徴とする熱交換器（３Ａ〜３Ｅ）。
【請求項８】
請求項７記載の熱交換器（３Ａ〜３Ｅ）は、前記第１流体が冷却水で前記第２流体が冷媒である水冷コンデンサ（３Ａ〜３Ｅ）であり、
前記出入口ブロック（２０）の前記通路群は、流入口（３６）に接続される入口側連通路（２１）と、流出口（３７）に接続される出口側連通路（２２）と、入口側連通路（２１）と出口側連通路（２２）の間を接続するバイパス通路（４ａ）であり、前記通路調整手段は、前記バイパス通路（４ａ）を開閉する開閉弁（５ａ）と、前記出口側通路（２２）に設けられたオリフィス（６ａ）であることを特徴とする熱交換器（３Ａ〜３Ｅ）。
【発明の詳細な説明】
【技術分野】
【０００１】
本発明は、伝熱プレートを積層した熱交換器に関する。
【背景技術】
【０００２】
例えば、熱交換器である水冷コンデンサは、特許文献１に示すように、熱交換器内に冷媒が通過する冷媒通路と冷却水が通過する冷却水通路を有し、冷媒と冷却水の間で熱交換して冷媒を冷却水によって冷却する。
【０００３】
このような水冷コンデンサは、伝熱プレートが多数積層され、隣り合う伝熱プレート間に冷媒通路と冷却水通路をそれぞれ形成する。冷媒通路と冷却水通路は、各伝熱プレートを仕切りとして交互に形成され、冷媒と冷却水が伝熱プレートを介して熱交換するようになっている。積層方向の両端に配置された一方又は双方の伝熱プレートには、冷却水流入口及び冷却水流出口と冷媒流入口及び冷媒流出口が形成される。
【０００４】
そして、冷却水流入口と冷却水流出口は、冷却水通路の実質長を長く取り、熱交換性の向上を図るために、同じ伝熱プレートに形成する場合でも、異なる伝熱プレートに形成する場合でも四角形状の対角線の角部（隅部）に形成される。冷媒流入口と冷媒流出口も同様の理由によって、同じ伝熱プレートに形成する場合でも、異なる伝熱プレートに形成する場合でも四角形状の対角線の角部に形成される。
【先行技術文献】
【特許文献】
【０００５】
【特許文献１】特開２０１３−１１９３８２号公報
【発明の概要】
【発明が解決しようとする課題】
【０００６】
しかしながら、冷却水流入口と冷却水流出口の組、冷媒流入口と冷媒流出口の組が四角形状の対角線の角部（隅部）に形成されると、配管の接続作業性が悪く、レイアウト性も悪い。
【０００７】
冷却水通路は、流通抵抗を抑制したい等の理由によって、熱交換器内で折り返しのない経路に形成されるため、同じ伝熱プレートに冷却水流入口と冷却水流出口が形成されるのが通常である。一方、冷媒通路は、冷媒の熱交換性を高めたい等の理由によって、熱交換器内で折り返される経路に通常形成される。そのため、冷媒流入口と冷媒流出口が異なる伝熱プレートに形成される。このように、冷媒流入口と冷媒流出口が異なる伝熱プレートに形成されると、配管の接続作業性が更に悪くなり、レイアウト性も更に悪くなる。
【０００８】
そこで、本発明は、前記した課題を解決すべくなされたものであり、配管の接続作業性が良く、レイアウト性も良い熱交換器を提供することを目的とする。
【課題を解決するための手段】
【０００９】
本発明は、四角形状の伝熱プレートを積層し、積層方向の隣り合う２つの前記伝熱プレートの間に第１流体が流れる第１通路と第２流体が流れる第２通路をそれぞれ形成し、積層方向の端に配置された前記伝熱プレートに、前記第１通路に外部から第１流体を流入する第１流入口及び前記第１通路から外部に第１流体を流出する第１流出口と、前記第２通路に外部から第２流体を流入する第２流入口及び前記第２通路から外部に第２流体を流出する第２流出口を設けた熱交換器において、積層方向の一方の端に配置された前記伝熱プレートに、前記第１流入口及び前記第１流出口と前記第２流入口及び前記第２流出口との少なくとも一方の組を、前記伝熱プレートの短い方の一辺長さより小さい間隔で近接配置したことを特徴とする熱交換器である。
【発明の効果】
【００１０】
本発明によれば、流入口と流出口が同じ伝熱プレートで、しかも、近接配置されているため、流入口と流出口への配管接続性が良く、レイアウト性も良い。
【図面の簡単な説明】
【００１１】
【図１】本発明の第１実施形態を示し、車両用空気調和装置の構成図である。
【図２】本発明の第１実施形態を示し、水冷コンデンサの概略斜視図である。
【図３】本発明の第１実施形態を示し、（ａ）は冷却水の流れを示す水冷コンデンサの要部断面図、（ｂ）は冷媒の流れを示す水冷コンデンサの要部断面図である
【図４】本発明の第１実施形態を示し、水冷コンデンサ全体の冷媒流れを示す概念図である。
【図５】本発明の第１実施形態を示し、（ａ）は電磁弁が閉位置である出入口ブロックの概略断面図、（ｂ）は電磁弁が開位置である出入口ブロックの概略断面図である。
【図６】本発明の第１実施形態を示し、出入口ブロック内の冷媒流れを示す概略図である。
【図７】本発明の第２実施形態を示し、水冷コンデンサの概略斜視図である。
【図８】本発明の第２実施形態を示し、水冷コンデンサ全体の冷媒流れを示す概念図である。
【図９】本発明の第３実施形態を示し、水冷コンデンサの概略斜視図である。
【図１０】本発明の第３実施形態を示し、水冷コンデンサの要部断面図である。
【図１１】本発明の第３実施形態を示し、水冷コンデンサの冷媒流れを示す概念図である。
【図１２】本発明の第４実施形態を示し、水冷コンデンサの概略斜視図である。
【図１３】本発明の第５実施形態を示し、水冷コンデンサの概略斜視図である。
【図１４】本発明の第５実施形態を示し、伝熱プレートの概略斜視図である。
【発明を実施するための形態】
【００１２】
以下、本発明の実施形態を図面に基づいて説明する。
【００１３】
（第１実施形態）
図１〜図６は本発明の第１実施形態を示す。図１に示すように、車両用空気調和装置は、ヒートポンプ式の冷凍サイクル１と、温水サイクル１０と、これらを制御する制御部（図示せず）とを備えている。
【００１４】
冷凍サイクル１は、冷媒を圧縮する圧縮機２と、圧縮機２で圧縮された冷媒と温水との間で熱交換する熱交換器である水冷コンデンサ３Ａと、水冷コンデンサ３Ａの冷媒通路５ａをバイパスする第１バイパス通路４ａと、第１バイパス通路４ａを開閉する第１開閉弁５ａと、水冷コンデンサ３Ａで熱交換された冷媒を減圧する第１オリフィス６ａと、水冷コンデンサ３Ａで熱交換された冷媒、若しくは水冷コンデンサ３Ａをバイパスされた冷媒と外気との間で熱交換する室外熱交換器７と、室外熱交換器７を出た冷媒を減圧する第２オリフィス６ｂと、第２オリフィス６ｂで減圧（膨張）された冷媒と室内に供給される空気との間で熱交換する室内熱交換器８と、室内熱交換器８をバイパスする第２バイパス通路４ｂと、第２バイパス通路４ｂを開閉する第２開閉弁５ｂと、冷媒の気液を分離等する機能を有し、圧縮機２に気体冷媒のみを送るアキュムレータ９とを備えている。
【００１５】
温水サイクル１０は、温水を循環させるウォータポンプ１１と、ウォータポンプ１１で循環される温水が通過し、通過する温水が冷媒によって加熱される水冷コンデンサ３Ａと、ウォータポンプ１１で循環する温水と車室内に供給される空気との間で熱交換し、空気を加熱するヒータコア１２とを備えている。
【００１６】
室内熱交換器８とヒータコア１２は、空調ユニットの送風路３０内に配置され、空調ユニット１２の下流側はダクト（図示せず）によって車室の吹出口（図示せず）に接続されている。
【００１７】
冷凍サイクル１は、冷房時には、第１開閉弁５ａが開位置、第２開閉弁５ｂが閉位置とされる。室外熱交換器７が凝縮器（コンデンサ）として機能し、室内熱交換器８が蒸発器（エバポレータ）として機能し、車室内に冷風が導かれる。
【００１８】
冷凍サイクル１は、暖房時には、第１開閉弁５ａが閉位置、第２開閉弁５ｂが開位置とされる。水冷コンデンサ３Ａ及び室外熱交換器７が凝縮器（コンデンサ）として機能し、室内熱交換器８が蒸発器（エバポレータ）として機能する。そして、温水サイクル１０の温水が循環され、冷凍サイクル１の水冷コンデンサ３Ａが温水サイクル１０の温水を加熱してヒータコア１２を加熱し、車室内に暖風が導かれる。
【００１９】
水冷コンデンサ３Ａの冷媒流入口３６に接続される流入側通路２１、冷媒流出口３７に接続される流出側通路２２、第１バイパス通路４ａ及び第１オリフィス６ａは、出入口ブロック２０に形成されている。出入口ブロック２０については、下記に詳述する。
【００２０】
室外熱交換器７と室内熱交換器８を接続する一部通路２６、室内熱交換器８とアキュムレータ９を接続する一部通路２７、第２バイパス通路４ｂ及び第２開閉弁５ｂは、通路ブロック２５に形成されている。
【００２１】
図２〜図４に示すように、水冷コンデンサ３Ａは、多数の伝熱プレート３１を有し、多数の伝熱プレート３１が積層されている。伝熱プレート３１は、四角形状である。伝熱プレート３１の積層体内には、積層方向の隣り合う２つの伝熱プレート３１の間に第１流体である冷却水が流れる第１通路である冷却水通路３２と、第２流体である冷媒が流れる第２通路である冷媒通路３３をそれぞれ形成されている。
【００２２】
冷却水通路３２と冷媒通路３３は、積層方向に交互に配置されている。冷却水通路３２は、積層体内で複数列に分岐され、各列が共に同じ流れ方向に形成されている。つまり、冷却水流れは、いわゆる１パスである。
【００２３】
冷媒通路３３も、積層体内で複数列に分岐されている。分岐された冷媒通路３３の列群は、３つに分割され、流れ方向を２回折り返す経路に形成されている。つまり、冷媒流れは、図４に示すように、いわゆる３パスである。
【００２４】
積層方向の一端（図面上の上端）に配置された伝熱プレート３１に、冷却水通路３２に外部から冷却水を流入する第１流入口である冷却水流入口３４と、冷却水通路３２から外部に冷却水を流出する第１流出口である冷却水流出口３５と、冷媒通路３３に外部から冷媒を流入する第２流入口である冷媒流入口３６と、冷媒通路３３から外部に冷媒を流出する第２流出口である冷媒流出口３７が設けられている。
【００２５】
冷却水流入口３４と冷却水流出口３５は、伝熱プレート３１の対角線上の異なる角部（隅部）にそれぞれ配置されている。冷媒流入口３６と冷媒流出口３７は、冷却水流入口３４と冷却水流出口３５の配置位置とは異なる伝熱プレート３１の異なる角部（隅部）で、且つ、伝熱プレート３１の短い方の一辺長さより小さい間隔で近接配置されている。
【００２６】
伝熱プレート３１の積層体内を流れた冷媒の出口３８は、積層方向の他端（図面上の下端）に配置された伝熱プレート３１に形成されており、伝熱プレート３１の出口３８と冷媒流出口３７の間は、伝熱プレート３１の積層体の外側を通る配管４０によって接続されている。
【００２７】
図５及び図６に示すように、出入口ブロック２０は、冷媒流入口３６に接続される入口側連通路２１と冷媒流出口３７に接続される出口側連通路２２と入口側連通路２１と出口側連通路２２を接続するバイパス通路４ａとから成る通路群を有する。出入口ブロック２０は、通路調整手段として、バイパス通路４ａを開閉する第１開閉弁５ａと、出口側通路２２に設けられたオリフィス６ａとを有する。
【００２８】
第１開閉弁は、電磁式のものであり、図５（ａ）に示す非通電時には、第１バイパス通路４ａが閉位置に位置し、冷媒が水冷コンデンサ３Ａに流れ、図５（ｂ）に示す通電時には、第１バイパス通路４ａが開位置に位置し、冷媒が水冷コンデンサ３Ａをバイパスする（図６参照）。
【００２９】
以上、この第１実施形態では、冷媒流入口３６と冷媒流出口３７が同じ伝熱プレート３１で、しかも、近接配置されているため、冷媒流入口３６と冷媒流出口３７への配管接続性が良く、レイアウト性も良い。
【００３０】
伝熱プレート３１の積層体内に入る冷却水の入口（冷却水流入口３４）と前記伝熱プレート３１の積層体内から出る冷却水の出口（冷却水流出口３５）の組と、伝熱プレート３１の積層体内に入る冷媒の入口（冷媒流入口３６）と伝熱プレート３１の積層体内から出る冷媒の出口３８の組とは、伝熱プレート３１の対角線上の異なる角部（隅部）にそれぞれ形成されている。従って、冷却水が１パスの冷却水通路３２を極力ショートカットすることなく流れ、冷媒が３パスの冷媒通路３２を極力シートカットすることなく流れるため、冷媒流入口３６と冷媒流出口３７を伝熱プレート３１に近接配置しても熱交換性が低下しない。
【００３１】
積層方向の一方の端に配置された伝熱プレート３１には、冷却水流入口３４及び冷却水流出口３５と冷媒流入口３６及び冷媒流出口３７との双方の組が共に配置されている。従って、冷却水通路３２と冷媒通路３３の双方の流入口３４，３６と流出口３５，３７が同じ伝熱プレート３１に配置されるため、冷却水通路３２側と冷媒通路３３側の双方の流入口３４，３６と流出口３５，３７への配管接続性が良く、レイアウト性も良い。
【００３２】
積層方向の一方の端に配置された伝熱プレート３１に近接配置する冷媒流入口３６と冷媒流出口３７の組は、積層された伝熱プレート３１の外側を通る配管４０によって、冷媒流出口３７が冷媒流入口３６の近接位置まで導かれている。従って、既存の伝熱プレート３１の構造を変更することなく、同じ伝熱プレート３１側に冷媒流入口３６と冷媒流出口３７を近接配置できる。
【００３３】
冷媒通路３３は、伝熱プレート３１の積層体内を折り返す経路であり、折り返し経路とされた冷媒通路３３の冷媒流入口３６と冷媒流出口３７が積層方向の一方の端に配置された伝熱プレート３１に近接配置されている。従って、折り返し経路とすることにより熱交換性が向上し、熱交換性の良い水冷コンデンサ３Ａにおいて冷媒流入口３６と冷媒流出口３７への配管接続性が良く、レイアウト性も良い。
【００３４】
積層方向の一方の端に配置された伝熱プレート３１には、近接配置した冷媒流入口３６と冷媒流出口３７に接続される通路群とその通路調整手段（通路切換手段、通路抵抗手段）を有する出入口ブロック２０が固定されている。従って、出入口ブロック２０を伝熱プレート３１に取り付けることにより、水冷コンデンサ３Ａの冷媒流入口３６と冷媒流出口３７に接続される部品及びその近辺に配置される部品を取り付けることができるため、取り付け作業性が良く、レイアウト性も良い。
【００３５】
熱交換器は水冷コンデンサ３Ａであり、出入口ブロック２０の通路群は、冷媒流入口３６に接続される入口側連通路２１と冷媒流出口３７に接続される出口側連通路２２と入口側連通路２１と出口側連通路２２間を接続するバイパス通路４ａであり、通路調整手段は、バイパス通路４ａを開閉する第１開閉弁５ａと、出口側通路２２に設けられたオリフィス６ａである。従って、水冷コンデンサ３Ａを使用する暖房時と、水冷コンデンサ３Ａを使用しない冷房時とに使い分けできる冷凍サイクル１を部品点数を少なく、レイアウト性良く構成できる。
【００３６】
（第２実施形態）
第２実施形態は、前記第１実施形態と比較して熱交換器である水冷コンデンサ３Ｂの構成のみ相違する。
【００３７】
図７及び図８に示すように、第２実施形態の水冷コンデンサ３Ｂは、多数の伝熱プレート３１，３１Ａの積層体を有する。各伝熱プレート３１，３１Ａは、概略四角形状である。各伝熱プレート３１，３１Ａには、補助プレート部３１ａが一体に設けられている。補助プレート部３１ａには、隣り合うもの同士で連通する開口（図示せず）が形成されている。そして、補助プレート部３１ａの積層箇所には、連続する開口によって縦通路４２ａが形成されている。最下端に位置する伝熱プレート３１Ａは、他の伝熱プレート３１とは異なり、凹状の横通路４２ｂが形成されている。縦通路４２ａと横通路４２ｂによって補助通路４２が構成されている。
【００３８】
積層体を流れた冷媒の出口３８は、積層方向の他端（図面上の下端）に配置された伝熱プレート３１に形成されるが、伝熱プレート３１の出口３８と冷媒流出口３７の間は、伝熱プレート３１，３１Ａ内の補助通路４２によって接続されている。
【００３９】
他の構成は、前記第１実施形態のものと同じであるため、説明を省略する。尚、冷媒の流れは、第１実施形態と同様に、３パスである（図８参照）。
【００４０】
積層方向の一方の端に配置された伝熱プレート３１に近接配置する冷媒流入口３６と冷媒流出口３７の組は、伝熱プレート３１，３１Ａの補助通路４２によって冷媒流出口３７が冷媒流入口３６の近接位置まで導かれている。従って、伝熱プレート３１，３１Ａの他に別途部品を追加することなく、同じ伝熱プレート３１に冷媒流入口３６と冷媒流出口３７を近接配置できる。
【００４１】
（第３実施形態）
第３実施形態は、前記第１実施形態と比較して熱交換器である水冷コンデンサ３Ｃの構成のみ相違する。
【００４２】
図９〜図１１に示すように、第３実施形態の水冷コンデンサ３Ｃは、多数の四角形状の伝熱プレート３１，３１Ｂの積層体を有する。最上端に位置する伝熱プレート３１Ｂは、他の伝熱プレート３１とは異なり、凹状の補助通路４３を有する。
【００４３】
冷媒の流れは、１パスであり、伝熱プレート３１，３１Ｂの積層体を流れた冷媒の出口３８は、積層方向の一端（図面上の上端）に配置された伝熱プレート３１Ｃに形成される。伝熱プレート３１Ｃの出口３８と冷媒流出口３７の間は、伝熱プレート３１Ｃ内の補助通路４３によって接続されている。
【００４４】
第３実施形態では、伝熱プレート３１の積層体内に入る冷却水の入口（冷却水流入口３４）と伝熱プレート３１の積層体内から出る冷却水の出口（冷却水流出口３５）の組は、伝熱プレート３１の対角線上の異なる角部（隅部）に形成されているが、伝熱プレート３１の積層体内に入る冷媒の入口（冷媒流入口３６）と伝熱プレート３１の積層体内から出る冷媒の出口（冷媒流出口３７）の組は、伝熱プレート３１の対角線上の異なる角部（隅部）に形成されておらず、近接位置に形成されている。
【００４５】
（第４実施形態）
第４実施形態は、前記第１実施形態と比較して熱交換器である水冷コンデンサ３Ｄの構成のみ相違する。
【００４６】
図１２に示すように、第４実施形態の水冷コンデンサ３Ｄは、多数の四角形状の伝熱プレート３１の積層体を有する。
【００４７】
冷媒の流れは、２パスであり、伝熱プレート３１の積層体内を流れた冷媒の出口３８は、積層方向の中間位置（パスの仕切り位置）に配置された伝熱プレート３１に形成されている。伝熱プレート３１の出口３８と冷媒流出口３７の間は、多数の伝熱プレート３１内の補助通路４４によって接続されている。
【００４８】
（第５実施形態）
第５実施形態は、前記第１実施形態と比較して熱交換器である水冷コンデンサ３Ｅの構成のみ相違する。
【００４９】
図１３及び図１４に示すように、第５実施形態の水冷コンデンサ３Ｅは、多数の四角形状の伝熱プレート３１の積層体を有する。
【００５０】
冷媒の流れは、２パスであるが、第４実施形態とは異なり、積層方向に直交する方向で経路が折り返されている。伝熱プレート３１の内で、冷媒通路を形成するプレート３１には、仕切り壁３１ｂが設けられている。
【００５１】
積層方向の一端（図面上で上端）に配置された伝熱プレート３１に、冷媒流出口３７が設けられている。
【００５２】
第５実施形態では、伝熱プレート３１の積層体内に入る冷却水の入口（冷却水流入口３４）と伝熱プレート３１の積層体内から出る冷却水の出口（冷却水流出口３５）の組は、伝熱プレート３１の対角線上の異なる角部（隅部）に形成されているが、伝熱プレート３１の積層体内に入る冷媒の入口（冷媒流入口３６）と伝熱プレート３１の積層体内から出る冷媒の出口（冷媒流出口３７）の組は、伝熱プレート３１の対角線上の異なる角部（隅部）に形成されておらず、近接位置に形成されている。
【００５３】
（変形例）
前記第１〜第５実施形態では、冷媒流入口３６と冷媒流出口３７を近接配置したが、冷却水流入口３４と冷却水流出口３５を近接配置しても、又、冷媒流入口３６と冷媒流出口３７と共に冷却水流入口３４と冷却水流出口３５も近接配置しても良い。
【００５４】
前記第１〜第５実施形態では、冷却水の流れは、１パスであるが、複数パスにしても良
【符号の説明】
【００５５】
３Ａ〜３Ｅ  水冷コンデンサ（熱交換器）
４ａ  第１バイパス路（バイパス路）
５ａ  第１開閉弁（開閉弁）
６ａ  オリフィス
２０  出入口ブロック
２１  入口側連通路
２２  出口側連通路
３１，３１Ａ，３１Ｂ  伝熱プレート
３２  冷却水通路（第１通路）
３３  冷媒通路（第２通路））
３４  冷却水流入口（第１流体流入口）
３５  冷却水流出口（第１流体流出口）
３６  冷媒流入口（第２流体流入口）
３５  冷媒流出口（第２流体流出口）
４０  配管
４２，４３，４４  補助通路
【図１】
2017015278.tif 000003
【図２】
2017015278.tif 000004
【図３】
2017015278.tif 000005
【図４】
2017015278.tif 000006
【図５】
2017015278.tif 000007
【図６】
2017015278.tif 000008
【図７】
2017015278.tif 000009
【図８】
2017015278.tif 000010
【図９】
2017015278.tif 000011
【図１０】
2017015278.tif 000012
【図１１】
2017015278.tif 000013
【図１２】
2017015278.tif 000014
【図１３】
2017015278.tif 000015
【図１４】
2017015278.tif 000016